(57)【要約】  本発明による携帯用尿分析装置は、ストリップを固定させて引き入れおよび引き出されるトレイ駆動部を備える状態で分析を完了した前記ストリップを落下させるトレイと、ストリップの尿を分析して尿分析情報を生成する尿分析モジュールを備えるメインハウジングと、前記メインハウジングの下側に結合したものであって、落下したストリップを一時保管する空間を有する状態でスライド移動が可能な収納箱を備えるサブハウジングと、前記サブハウジングを支持する支持台とを含んでなることを特徴とする。本発明による携帯用尿分析装置によれば、ストリップを媒介にして尿を分析するが、コンパクトでかつスリムな構造で携帯性を強化し、また分析完了したストリップを衛生的に処理できる効果を有する。
2019525206.tif 000002
【特許請求の範囲】
【請求項１】
携帯用尿分析装置であって、
ストリップを固定するストリップ固定部と、外部引き出し及び前記ストリップを尿分析領域内に引き入れするトレイ駆動部と、前記ストリップ固定部を開放して分析済みの前記ストリップを落下させるトレイと、前記尿分析領域の一側で前記ストリップの尿を分析して尿分析情報を生成する尿分析モジュールを備えるメインハウジングと、
前記メインハウジングの下側に結合され、落下した前記ストリップを一時保管する空間を有するスライド移動可能な収納箱を備えるサブハウジングと、
前記サブハウジングを支持する支持台とを含むことを特徴とする、携帯用尿分析装置。
【請求項２】
前記メインハウジング及びサブハウジングのうちの少なくとも一つは、
前記支持台に向かって発光するＬＥＤモジュールを含むことを特徴とする、請求項１に記載の携帯用尿分析装置。
【請求項３】
前記トレイ駆動部は、
前記トレイの一側に結合されたラックと、
前記ラックと連結され、モータの駆動によって回転するピニオンからなることを特徴とする、請求項１に記載の携帯用尿分析装置。
【請求項４】
前記ストリップ固定部は、
前方に向かう前方固定部と、前記前方固定部と開放可能に連結された後方固定部とで構成され、
前記トレイは、前記後方固定部の一側から前記前方固定部に向かって延長されたプッシュフレームと、前記プッシュフレームに取り付けられ、前記プッシュフレームの弾性移動力を提供するプッシュスプリングを有する開放制御部を含み、
前記尿分析モジュールによる尿分析が完了した後、前記モータの駆動で前記トレイを前記メインハウジングの後方側空間へ引き入れることで、前記後方固定部が前記メインハウジングの後方の内側面に接触しながら前記プッシュスプリングが圧縮されて、前記プッシュスプリングが復元しながら前記前方固定部を押すことで前記ストリップ固定部が開放され、前記ストリップが落下することを特徴とする、請求項３に記載の携帯用尿分析装置。
【請求項５】
前記開放制御部は、
前記メインハウジングの後方内側面に取り付けられたベースと、
複数の弾性突起が形成された状態で前記後方固定部の後側面に取り付けられたプッシュバーをさらに含むことを特徴とする、請求項４に記載の携帯用尿分析装置。
【請求項６】
前記尿分析装置は、
通信機能を行う通信モジュールを備え、
前記通信モジュールによって外部電子機器のアプリケーションと連動された状態で前記アプリケーションの操作によって前記トレイの引き入れと引き出しの制御及び前記尿分析モジュールの分析器能を駆動制御するコントローラをさらに含むことを特徴とする、請求項１に記載の携帯用尿分析装置。
【請求項７】
前記コントローラは、
尿分析情報に基づいて使用者別に健康ガイド情報を差等提供する情報管理モジュールをさらに含むことを特徴とする、請求項６に記載の携帯用尿分析装置。
【請求項８】
前記ＬＥＤモジュールは、
少なくとも二つの色相を発光するＬＥＤパッケージからなり、
前記尿分析装置は、
前記尿分析情報の結果に応じて前記ＬＥＤパッケージの特定色相発光を差等制御するＬＥＤ制御モジュールを含むことを特徴とする、請求項２に記載の携帯用尿分析装置。
【請求項９】
前記収納箱は、
後方一側に備えられたシートハウジングに取り付けられたものであって、
ローラ軸によって回動可能な状態でシートをワインディング処理したローラと、前記ローラをリワインディングして前記シートを外部に引き出すスリットとを備え、前記シートが前記収納箱の床を覆うようにするシート提供部をさらに含むことを特徴とする、請求項１に記載の携帯用尿分析装置。
【請求項１０】
前記シート提供部は、
前記ローラ軸を回転させて前記シートを自動引き出し処理するシートモータを備え、
前記収納箱は、
床に取り付けられ前記ストリップの荷重を感知して荷重感知信号を生成する荷重感知センサと、
前記荷重感知信号の発生有無に応じて前記シートモータの駆動可否を制御するモータ駆動制御モジュールとをさらに含むことを特徴とする、請求項９に記載の携帯用尿分析装置。
【請求項１１】
前記収納箱は、
前記収納箱の床に形成されたガイドレールに沿って前記シートモータと連動して前後移動可能な移動体と、
前記移動体の一側に折畳み可能に取り付けられ、前記シートを結合して連結するクリップを備えるシート移動部をさらに含むことを特徴とする、請求項１０に記載の携帯用尿分析装置。
【請求項１２】
前記シート移動部は、
前記シートモータに連結されたピニオンと、
前記ピニオン及び前記移動体の一側に結合され、前記ガイドレールに沿って前記移動体を移動させるラックを含むことを特徴とする、請求項１１に記載の携帯用尿分析装置。
【発明の詳細な説明】
【技術分野】
【０００１】
本発明は、携帯用尿分析装置に関し、より詳細には、携帯が容易なサイズの一体型ユニットからなる状態で尿がついたストリップを分析して分析結果に対する使用者の健康状態をリアルタイムで確認すると同時に別途の電子機器と連動して操作はもちろん使用者別の尿分析情報を保存及び／又は管理することができ、分析済みのストリップの処理が便利な尿分析装置に関する。
【背景技術】
【０００２】
ヘルスケアは、治療部門の医療サービスと疾病予防及び管理を統合した全般的な健康管理事業を意味するものである。健康を管理することが主要課題の一つであるが、健康状態を定期的にチェックすることも何より重要である。
【０００３】
健康状態を測定するために広く用いられている一つの方法として血液検査がある。血液検査は血液を採取する過程と遠心分離などの複雑な過程により血液を分析する複雑な方法であるため、病院のような専門機関でしか円滑に実行されない限界と不便さがあり、遠隔検査を行うにも解決しなければならない問題が多いという困難性を伴う。
【０００４】
これに比べて、尿検査は尿の色や混濁度などの物理的性状確認により肉眼で簡単に検査できる便宜性がある。
【０００５】
このような物理的性状による尿検査より発展したものとして、ストリップに尿をつけて半定量的分析を行う化学的検査があるが、特にストリップの光分析を行う分析器の大衆化により小便器に分析器を取り付けるか、または携帯用分析器として広く製作されている状況である。
【０００６】
特許文献１は、便座に取り付けられた分析装置に関するものである。前記分析装置は、使用者が尿をする時、その尿の落下動線上にストリップを設けて、その後その尿を含むストリップを分析する特徴を提供するが、構造が複雑でかつ価格が高くなるため、血液検査を代替する水準の大衆化の追求は難しい。
【０００７】
これに比べて、特許文献２，３のような携帯用尿分析器は、携帯が可能で、かつストリップを媒介にしてより簡便であるが、専門的な分析により正確な尿検査結果を提供できる特徴を提供している。
【０００８】
しかし、前記携帯用尿分析器は、分析済みのストリップを適切に回収するか、処理できる手段を提供することはできず、分析済みのストリップの処理の際に、手間がかかるか、使用者の手が汚れるなどの不便さを伴う短所が存在する。
【０００９】
したがって、携帯が簡便であるのはもとより、分析済みのストリップをより便利でかつ衛生的に処理できる新たでかつ進歩した携帯用尿分析装置開発の必要性が台頭している。
【先行技術文献】
【特許文献】
【００１０】
【特許文献１】韓国登録特許第１０８０８３２号公報
【特許文献２】韓国登録特許第１０９５２８０号公報
【特許文献３】韓国登録特許第１２５７２９９号公報
【発明の概要】
【発明が解決しようとする課題】
【００１１】
本発明は、前記従来技術の問題を解消するために案出されたもので、携帯が容易で、操作が簡便でかつ分析済みストリップの処理が簡便な携帯用分析装置を提供することを主な目的とする。
【００１２】
本発明の他の目的は、スライド移動するトレイのストリップ固定部にストリップを固定するが、ストリップ固定部が開放可能な構造からなり、分析済みのストリップをストリップ固定部の開放動作で落下させ、その下部の収納箱に便利に一時保管する構造を提供することにある。
【００１３】
本発明のまた他の目的は、トレイの移動及び分析済みのストリップを落下させる動作を有機的に連動してバッテリ節減を求めることにある。
【００１４】
本発明のさらなる目的は、タブレットＰＣ、モバイル機器にインストールされたアプリケーションと連動して分析装置のリモートコントロールはもちろん使用者別に尿分析情報を管理することにある。
【００１５】
本発明のさらなる目的は、収納箱にシートを便利に固定させる手段を提供してストリップが保管された空間の衛生を保障することにある。
【課題を解決するための手段】
【００１６】
上記目的を達成するために、本発明による携帯用尿分析装置は、ストリップを固定するストリップ固定部と、外部引き出し及び前記ストリップを尿分析領域内に引き入れるトレイ駆動部を備え、前記ストリップ固定部を開放して分析済みの前記ストリップを落下させるトレイと、前記尿分析領域の一側で前記ストリップの尿を分析して尿分析情報を生成する尿分析モジュールを備えるメインハウジングと、前記メインハウジングの下側に結合され、落下した前記ストリップを一時保管する空間を有するスライド移動可能な収納箱を備えるサブハウジングと、前記サブハウジングを支持する支持台とを含むことを特徴とする。
【００１７】
また、前記メインハウジング及びサブハウジングのうちの少なくとも一つは、前記支持台に向かって発光するＬＥＤモジュール、カラーセンサモジュールのうちの少なくとも一つを含むことを特徴とする。
【００１８】
さらに、前記ストリップ固定部は、前方に向かう前方固定部と、前記前方固定部と開放可能に連結された後方固定部とで構成され、前記トレイは、前記後方固定部の一側から前記前方固定部に向かって延長されたプッシュフレームと、前記プッシュフレームに取り付けられ、前記プッシュフレームの弾性移動力を提供するプッシュスプリングを有する開放制御部を含むことを特徴とする。
【発明の効果】
【００１９】
本発明による携帯用尿分析装置によれば、
１）携帯が簡便でかつストリップを用いた便利な分析方法を提供し、分析済みのストリップを衛生的に処理できる長所を提供し、
２）コンパクトな構造を維持しながらも分析済みのストリップを落下させて収納箱で一時保管することができ、原価削減はもちろん使用上の便宜性を強化することができ、
３）トレイの移動構造を用いて分析済みのストリップを落下させることにより電源を節約できる基盤を提供できるだけでなく、
４）外部電子機器と連動してリモートコントロールができることはもちろん使用者別の尿分析情報に基づいて使用者にカスタマイズされた食餌療法（献立表）、運動療法、セラピー療法などの多様な健康ガイド情報を提供でき、かつ健康異常時に周辺の病院を検索して予約する機能まで提供できると同時に、
５）収納箱にストリップを一時保管するとき、これを衛生的にカバーできるシートを半自動／自動方式で提供して衛生面を強化するだけでなく悪臭が発生することを防止できる効果を有する。
【図面の簡単な説明】
【００２０】
【図１】本発明の分析装置の全体的な外観を示す斜視図である。
【図２】本発明の分析装置の分解斜視図である。
【図３】本発明のトレイにストリップが固定した状態を示す概念図である。
【図４】本発明のトレイが尿分析領域側に後方移動した状態を示す概念図である。
【図５】本発明の収納箱に分析済みのストリップが保管された状態を示す概念図である。
【図６】本発明の収納箱の変形実施例を示す斜視図である。
【図７】本発明の分析装置と連動されたモバイル機器のＵＩに対する一例を示す概念図である。
【図８】本発明のコントローラの構成を示すブロック図である。
【発明を実施するための形態】
【００２１】
本発明を実施するための形態は、ストリップを固定するストリップ固定部と外部引き出し及び前記ストリップを尿分析領域に内部引き入れするトレイ駆動部を備えた状態で、前記ストリップ固定部を開放して分析済みの前記ストリップを落下させるトレイと、前記尿分析領域の一側で前記ストリップの尿を分析して尿分析情報を生成する尿分析モジュールを備えたメインハウジングと、前記メインハウジングの下側に結合したものであって、落下した前記ストリップを一時保管する空間を有する状態でスライド移動可能な収納箱を備えたサブハウジングと、前記サブハウジングを支持する支持台とを備えるものである。
【実施例】
【００２２】
以下、添付する図面を参照して本発明の好ましい実施例について詳細に説明する。添付する図面は縮尺によって図示されず、各図面の同一の参照番号は同一の構成要素を指す。
【００２３】
図１は本発明の尿分析装置の全体的な外観を示す斜視図である。
【００２４】
本発明の尿分析装置は小便器に取り付けて尿を採取する構造ではなく、モジュール式の一体型ユニットタイプからなり、必ずしも尿を採取するトイレではない多様な場所において適切に配置できる便宜性を提供すると共にコンパクトなサイズからなり、携帯の容易性を強化したものであり、図１から分かるように、メインハウジング１００とこのようなメインハウジング１００の下側で一体的に結合されたサブハウジング２００の結合体からなる。
【００２５】
これを簡略に説明すれば、本発明のメインハウジング１００は、トレイ１２０と尿分析モジュール１４０を備えることを主な特徴とするため、上面がカバー１１０によって一体型で覆われた状態で直方体またはこれに相応する立体的な形状を有する。
【００２６】
また、本発明のサブハウジング２００は、尿分析が完了してトレイ１２０から落下したストリップ１０を一時保管できる収納箱２１０を備えることを主な特徴とする。
【００２７】
さらに、本発明の尿分析装置は、外部電子機器と連動して操作及び／若しくは制御及び／若しくは尿分析情報を記録並びに／又は保存できるが、このために通信機能を有するコントローラ４００を備えることができる。このようなコントローラ４００はメインハウジング１００、サブハウジング２００のうちいずれか一つに備えられるが、尿分析モジュール１４０によって尿分析情報を生成するメインハウジング１００に備えられることが好ましい。
【００２８】
さらに、サブハウジング２００の下面には支持台３００が取り付けられ、これによりメインハウジング１００及びサブハウジング２００を安定的に支持すると同時に、後述する照明による健康状態情報を差異化した視覚的表示として提供できる構造的基盤を提供する。
【００２９】
以下、本発明の尿分析装置について図２を参照してより具体的に説明する。
【００３０】
図２は本発明の分析装置の分解斜視図である。
【００３１】
前述したように、本発明の分析装置はメインハウジング１００とサブハウジング２００が上下積層構造で一体的に結合されているが、上部のカバー１１０から下部の支持台３００の順に詳細構成及び機能について詳しく説明する。
【００３２】
メインハウジング１００の上面を覆うカバー１１０の一側にはスイッチ１１１が取り付けられている。このスイッチ１１１はＯＮ／ＯＦＦ信号を生成することを主な機能としているが、このほかにＬＥＤ照明制御、外部装置の連動制御などの付加的信号生成が可能である。このためスイッチ１１１は、必ずしも一つではなくそれぞれの付加的信号生成のための複数のスイッチグループからなるか、あるいはタッチスクリーン基盤からなってもよい。
【００３３】
さらに、再び図１を参照すれば、スイッチ１１１の周辺には表示灯が少なくとも一つ（図面では３個）取り付けられていることがわかるが、このような表示灯は、ＯＮ／ＯＦＦ状態、バッテリ残量表示、駆動状態、尿分析情報に基づいて健康状態を差等表示する機能を行うことが可能である。特に、表示灯で使用者の健康状態を差等表示するためには少なくとも２個以上備えられることが好ましい。
【００３４】
このようなカバー１１０の下面側であるメインハウジング１００の上部空間には尿分析モジュール１４０が取り付けられている。このような尿分析モジュール１４０は、カバー１１０の下面またはメインハウジング１００の上部側部位の一側のいずれか一つに取り付けられ、結果的に尿分析領域の上部に位置する。
【００３５】
本発明の尿分析モジュール１４０は、ストリップ１０の尿成分を分析し、これにより使用者の健康状態をチェックする機能を行う。一般に尿分析のためのインターフェースは、尿の色調又は混濁度のような物理的性状の検査に基づく手段、ストリップを用いる半定量的な化学的検出に基づく手段、顕微鏡による成分調査に基づく手段などがある。本発明の尿分析モジュール１４０は、特にこれらのうちいずれか一つに限定されるものではないが、ストリップ１０を用いる光検出に基づくインターフェースからなることが簡便性及び正確性を同時に担保できるので好ましく、これに基づいて説明する。
【００３６】
光検出インターフェースによる本発明の尿分析モジュール１４０は、フォトセンサ１４２とＰＢＡに基づく分析制御部１４３で構成される。尿分析モジュール１４０は、フォトセンサ１４２で尿がついたストリップ１０それぞれのセクターに対する色相を検出し、これを分析制御部１４３で分析することで使用者についての尿分析情報を生成する。
【００３７】
さらに、分析制御部１４３は後述する通信モジュール４１０と連動するか、または独自の通信部を備えることで、使用者別の尿分析情報を記録及び／又は保存するために、この尿分析情報をタブレットＰＣのような外部電子機器に転送することができる。
【００３８】
また、尿分析モジュール１４０は、別途のＬＥＤモジュール１４１を装着することが可能である。本発明においてＬＥＤモジュール１４１は、メインハウジング１００及びサブハウジング２００のうちいずれか一つ内に少なくとも一つのＬＥＤを備え、外部からＬＥＤ光が識別できるようにメインハウジング１００及び／又はサブハウジング２００を半透明の材質からなるようにすることで、尿分析過程ないし尿分析の完了状況をＬＥＤモジュール１４１の点滅により視覚的に表示する機能を提供し、さらに支持台３００に向かって発光するようにして間接照明の役割を兼ねることも可能である。さらに、このようなＬＥＤモジュール１４１は、カラーセンサーを備えるパッケージ、すなわちカラーセンサモジュールからなり、尿に対する光分析以後にストリップ１０の色相分析を兼ねることも可能である。
【００３９】
図３は本発明のトレイにストリップが固定された状態を示す概念図である。
【００４０】
本発明のトレイ１２０はメインハウジング１００の外部に引き出され、それにより使用者はトレイ１２０にストリップ１０を固定することができる。トレイ１２０は、尿分析モジュール１４０でストリップ１０についた尿を分析するように尿分析領域までストリップ１０をメインハウジング１００の内部に引き入れることはもちろん尿分析が完了したストリップ１０の落下処理を行う。
【００４１】
具体的には、トレイ１２０はトレイ駆動部１３０によってメインハウジング１００の内外に水平引き出し及び／又は引き入れされる。
【００４２】
トレイを引き入れ及び／又は引き出しさせるための機械的構造は多様であるが、図２においては、メインハウジング１００の内側の一面に支持され、かつトレイ１２０の外側の一面に結合されたラック１３２と、このようなラック１３２と連動してモータ１３１の駆動によって正方向又は逆方向に回転しながらラック１３２が結合されたトレイ１２０を引き入れ及び／又は引き出しさせるピニオン１３３で構成されたトレイ駆動部１３０の例が示されている。このとき、トレイ１２０が不要にさらに前方へ引き出されることを防止するために、トレイ駆動部１３０ないしトレイ１２０の一側にストッパ１２８を装着することが可能である。
【００４３】
このような構成によって、使用者の操作ないし外部電子機器の無線制御によってスイッチ１１１を作動させるとき、モータ１３１の正回転によりトレイ１２０をメインハウジング１００の外部に一定の長さ引き出させ、使用者がストリップ１０の支持面といえるストリップ固定部に尿がついたストリップ１０を固定させ、一定のインターバル後にモータ１３１の逆回転によりトレイ１２０をメインハウジング１００内部に引き入れながらトレイ１２０に固定したストリップ１０が尿分析モジュール１４０の下部位置である尿分析領域まで移動して尿分析を行うことができる。
【００４４】
さらに、トレイ１２０は分析済みのストリップ１０を下方に落下させるためにストリップ固定部が開放可能に構成されている。すなわち、ストリップ固定部は、ストリップ１０が固定される中空部１２３を基準に外側に位置した前方固定部１２１と、前方固定部１２１と接し、この後方を占める後方固定部１２２からなるが、開放制御部の制御によって前方固定部１２１と後方固定部１２２のうちの少なくとも一つが開放可能である。
【００４５】
この時、中空部１２３の上部にはストリップバー１２４が固定され、ストリップ１０がこれに位置して反射率を最小化し、フォトセンサ１４２が効率的に光分析を行うようにする。
【００４６】
開放制御部による前方固定部１２１と後方固定部１２２の開放可能な構造は多様な機械的構成からなることが可能である。
【００４７】
開放制御部に対する一例として、前方／後方固定部１２１、１２２のうちいずれか一つと連結された状態でモータの動力によって駆動されるラック／ピニオンの組み合わせからなるか、ガイドレールに沿ってスライド移動する構造などからなることができる。すなわち、ストリップ１０の分析が完了する時、開放制御部の駆動制御によって前方／後方固定部１２１，１２２のうちの少なくとも一つを開放し、この下部に位置した収納箱２１０に分析済みのストリップ１０を落下保管することができる。
【００４８】
ただし、本発明では上述したトレイ駆動部１３０でモータ１３１一つだけで開放制御部を共に駆動させ、前方／後方固定部１２１，１２２のうちいずれか一つを開放できるようにし、バッテリの節約はもちろん使用者に視覚的に分析済みの状態であることを演出する効果を兼ねる詳細構造を提供することができ、これを図２、４を参照して説明する。
【００４９】
図４は本発明のトレイが尿分析領域側に後方移動した状態を示す概念図である。
【００５０】
メインハウジング１００においてトレイ１２０は、外部に引き出されて尿分析領域が位置した内部空間に引き入れられるが、この時、尿分析領域の後方側に残余空間が存在し得、尿分析が完了した時、モータ１３１の逆回転（引き入れ方向側の回転）によりトレイ１２０をメインハウジング１００の内側、すなわち残余空間側にさらに引き入れて前方から見る時、トレイ１２０がメインハウジング１００の残余空間へさらに引き入れられた空間Ｓが発生する。
【００５１】
ここで、トレイ１２０の固定空間も前方／後方固定部より広く形成され、前方固定部１２１が一定の幅で移動できる空間を確保することが可能である。
【００５２】
図２、４からわかるように、本発明の開放制御部は、後方固定部１２２の一側面から前方固定部１２１に向かって一定の長さ延長形成されたプッシュフレーム１２５ａと、このプッシュフレーム１２５ａに弾性力を提供するために取り付けられたプッシュスプリング１２５を備えることが可能である。
【００５３】
すなわち、尿分析が完了した時、モータ１３１を逆回転によりトレイ１２０をメインハウジング１００の後方側の残余空間にさらに引き入れるが、この過程でメインハウジング１００の後方の内側面に後方固定部１２２が接触しながらプッシュスプリング１２５が圧縮される。圧縮されたプッシュスプリング１２５は弾性力によって復元されるが、プッシュスプリング１２５の復元によって前方固定部１２１を前方側にプッシュ（ｐｕｓｈ）、すなわち押すようになり、これにより前方／後方固定部１２１、１２２が離隔してその上面に固定したストリップ１０が落下することができる。
【００５４】
ひいては、メインハウジング１００の後方内側面に後方固定部１２２が接触するとき、衝撃を最小化して耐久性を保障できるように、メインハウジング１００の後方内側面にはベース１２７がさらに取り付けられ、これに対応して後方固定部１２２の後側面（すなわち、ベースと接触する面）には複数の弾性突起が形成されたプッシュバー１２６が装着され得る。
【００５５】
これにより、メインハウジング１００の後方内側面に後方固定部１２２が接触する時、プッシュバー１２６の弾性突起が一定の長さで圧縮して衝撃を最小化でき、これによる反発力を生成してプッシュスプリング１２５でより弾力的に前方固定部１２１を前方側に押すように復元する機能をさらに提供できる。
【００５６】
このような開放制御部の構成によって、電力を節約し、耐衝撃性を保障しながら前方／後方固定部の開放を保障できる特徴を提供する。
【００５７】
図５は本発明の収納箱に分析済みのストリップが保管された状態を示す概念図である。
【００５８】
本発明のサブハウジング２００は、収納箱２１０を備える。
【００５９】
本発明の収納箱２１０は、上述したように分析済みのストリップ１０を一時保管できる空間を提供し、引き出し式でスライド移動が可能であるため、使用者が回収してこれに保管されているストリップ１０を廃棄するか捨てることができる。収納箱２１０の前面には取っ手の役割をするグリップ部２１１が形成され、使用者がこれを容易に把持できるようにし、不要な離隔を防止するために収納箱２１０の一側にロックブラケット２１２を形成することも可能である。
【００６０】
さらに、サブハウジング２００は、収納箱２１０の周辺空間にバッテリ部２４０を備えるが、バッテリ部２４０は、外部電源連結方式はもちろん充電式からなることができ、携帯性を保障する。
【００６１】
サブハウジング２００の下部に一体的に結合された支持台３００は、床面に直接接触するものであり、レッグが形成されてデザイン的な美観を保障し、本発明の分析装置を床から一定距離離隔させて安定的な支持状態を保障することが可能である。
【００６２】
図６は本発明の収納箱の変形実施例を示す斜視図である。
【００６３】
上述した構成によって収納箱２１０で分析済みのストリップ１０を衛生的に保管できるが、ストリップ１０に尿がついている状態であるため、乾燥するとしても収納箱２１０の内部面が汚染するか、意図しない悪臭が発生する蓋然性が存在する。
【００６４】
このような問題を解決するために、収納箱２１０の一側、具体的には背面側の内側面にシート提供部２２０をさらに備えることが可能である。
【００６５】
本発明のシート提供部２２０は、シートハウジング２２１内に形成されたスペース２２２にシート２２４がワインディング（ｗｉｎｄｉｎｇ）処理されたローラ２２３をリワインディングしてスリット２２６を介してシート２２４を引き出して収納箱２１０の床面を覆い、シート２２４の上面にストリップ１０を固定させ、結果的にストリップ１０を衛生的に処理できる機能を提供する。この時、シート２２４は、分解性ビニール材質からなり、親環境的でかつ衛生的に分析済みのストリップ１０を包んで廃棄などの方法で処理できる機能を提供でき、さらに芳香成分を含んで尿による悪臭が外部に流出する問題を防止することもできる。
【００６６】
具体的には、シート提供部２２０は、スペース２２２の一側にローラ軸２２５によって回動可能に固定されたローラ２２３を含み、図面に示していないが、前記スペース２２２はカバーによって開閉されることができる。ローラ２２３は、シート２２４をワインディング処理しており、ローラ２２３のシート２２４を使い切った場合、カバー１１０を開放するか、シートハウジング２２１の開放された上面を介して容易にシート２２４を追加挿入することができる。
【００６７】
さらに、シートハウジング２２１の一側、具体的には収納箱の前方に向かう面の床に近い下部側にはスリット２２６が形成され、シート２２４の端部を引っ張るかローラ２２３をリワインディング方向に回転させると、これによりローラ２２３からシート２２４が外部に引き出されて収納箱２１０の床面を覆うことが可能である。
【００６８】
さらに、好ましくはビニール材質からなるシート２２４に一定間隔を置いて点線形態で陥入形成された切り取り線２２７により使用者がシート２２４を分離して用いるか、またはスリット２２６の一側の周辺に鋸刃（図示せず）を形成してシート２２４を切断することが可能である。
【００６９】
このようなシート提供部２２０により、使用者の手がストリップ１０についた尿に触れないことはもちろん収納箱２１０内で悪臭がすることを防止した状態で衛生的にストリップ１０を処理できると共に収納箱２１０を頻繁に洗浄する手間を減らす特徴を提供する。
【００７０】
さらに、シート提供部２２０は、ローラ軸２２５を自動回転（リワインディング方向に回転）させるシートモータ２２９を備え、これに対応してコントローラ４００またはサブハウジング２００（または収納箱）はモータ駆動制御モジュールを備え得る。
【００７１】
モータ駆動制御モジュールは、尿分析モジュール１４０と連動して尿分析モジュール１４０がストリップ１０を分析する間、シートモータ２２９を駆動させてシート２２４を外部に引き出すが、収納箱２１０の床にさらに備えられた荷重感知センサから収納箱の床のストリップ１０の固定有無を感知した信号、すなわち荷重感知信号の存在に応じてシートモータ２２９の駆動可否を判断する機能を行う。すなわち、１個のストリップ１０別にシートを収納箱２１０の床面に敷く必要はないので、収納箱２１０内のストリップ１０の存在を荷重感知センサを介して認識した場合、シートモータ２２９を駆動せず、そうではない場合にはシートモータ２２９を駆動する方式でシートモータ２２９駆動可否を差等制御する機能を提供する。
【００７２】
このような荷重感知センサ、シートモータ２２９及びモータ駆動制御モジュールによって、シート２２４の引き出し可否を自動で調節することで衛生はもちろんシート２２４の浪費を防ぐ特徴を提供する。
【００７３】
さらに、ビニールのような薄い材質からなるシート２２４がシートモータ２２９の駆動によって円滑に収納箱の空間に引き出されずに、巻き込まれたり曲がったりすることもあるため、さらにシート移動部２３０を備え得る。
【００７４】
本発明のシート移動部２３０は、ガイドレール２３３に沿って前後方向にスライド移動可能な構造体である移動体２３１を媒介にしてシート２２４を移動させるものであり、この時、移動体２３１のシート側に向かう面には使用者の操作によって折畳み可能なクリップ２３２が形成され、これによりシート２２４を固定させ得る。
【００７５】
移動体２３１の下面（床面）にはガイドレール２３３に沿って回転する回転体が形成され、さらにこの回転体は移動体２３１の内部に取り付けられた別途の駆動モータによって駆動されるが、シートモータ２２９と連動駆動が可能である。
【００７６】
すなわち、シートモータ２２９の回転数に相応して回転体を回転制御することで、シートモータ２２９によって引き出されるシート２２４の長さに応じて移動体２３１の駆動モータの回転数を差等制御することで、結果的に引き出されたシート２２４の長さに相応するようにシート２２４を収納箱２１０の前方側に移動させる特徴を提供する。
【００７７】
ひいては、図面に示していないが、シートモータ２２９がシートハウジング２２１の外側に形成され、シートモータ２２９の一側がローラ２２３と連動し、その対向側にはピニオンが形成され、ピニオンを回転させながらこのピニオンが移動体２３１の側面にさらに結合されたラックと連動し、結果的にラックがガイドレールに沿って移動しながら、結果的に移動体２３１をスライド移動させることも可能である。
【００７８】
この場合、一つのモータ（シートモータ）によってシート２２４の引き出しと移動体２３１の移動を同時に行う特徴を提供できる。
【００７９】
このようなシート移動部２３０によって薄い材質からなるシート２２４が引き出された時、不要に曲がって収納箱２１０の床面を円滑に覆えない問題をより確実に防止できる機能を行うことができる。
【００８０】
図７は本発明の分析装置と連動されたモバイル機器のＵＩに対する一例を示す概念図であり、図８は本発明のコントローラの構成を示すブロック図である。
【００８１】
前述したように、本発明の分析装置は、タブレットＰＣ、モバイル機器にインストールされたアプリケーションを媒介にして本発明の分析装置に取り付けられた通信モジュール（または通信部）と連動して操作制御はもちろん使用者別に尿分析情報を記録、保存できる便宜的な環境を提供することが可能である。
【００８２】
本発明のコントローラ４００は、このようにタブレットＰＣ、モバイル機器のような外部電子機器と連動のために情報を管理／保存する機能を行うものであり、外部電子機器との通信機能を提供する通信モジュール４１０と、前記通信モジュール４１０による通信を介してアプリケーションを操作することで、尿分析装置のＯＮ／ＯＦＦ、トレイ駆動制御はもちろんシートモータ２２９の駆動を制御する操作制御モジュール４２０を備え得る。
【００８３】
さらに、情報管理モジュール４４０は、本発明の外部電子機器にインストールされたアプリケーションと連動して尿分析情報を使用者別に多様なカテゴリと保存／ディスプレイ方式によって外部電子機器に表示できる。
【００８４】
例えば、図７に示すように、情報管理モジュール４４０は、外部電子機器のアプリケーションと連動されることで、日付及び使用者別に尿分析情報に基づいて健康状態を詳細分類して表示することはもちろん健康状態によって特定検査を使用者に要請するか、疑われる疾病のような情報を提供することが可能である。さらに、このような情報管理モジュール４４０は、アプリケーションを媒介にして使用者登録／修正はもちろん環境設定、尿検査履歴の提供などの付加的機能を提供できる。
【００８５】
ひいては、情報管理モジュール４４０は、尿分析情報に基づいて使用者別にカスタマイズされた食餌療法（献立表）、運動療法、セラピー療法などの多様な健康ガイド情報を提供でき、かつ健康異常時には周辺の病院を検索して予約する機能まで提供できることはもちろんである。
【００８６】
さらに、本発明のコントローラ４００は、ＬＥＤ制御モジュール４３０を備えることが可能である。
【００８７】
この時、ＬＥＤモジュールは、尿分析モジュール以外の位置に取り付けられ得ることはもちろん、単色からならず、複数の色相で発光されるＬＥＤパッケージからなり、例えば赤／黄／緑のように特定色相を発光させ得る。
【００８８】
これと連動してＬＥＤ制御モジュール４３０は、具体的に分析結果確認部４３１と差等照明部４３２を備える。
【００８９】
分析結果確認部４３１は、前記尿分析モジュール１４０で分析した尿分析情報に基づいて使用者の健康状態をチェックする機能を行い、差等照明部４３２は、尿分析情報に応じてＬＥＤモジュールの特定色相を選択して支持台３００に向かって間接照明のように発光させる役割をする。
【００９０】
例えば、使用者の尿分析情報結果が健康であると判断された場合にはＬＥＤモジュールで緑灯を発光させ、尿分析情報結果が健康が疑われると判断された場合には黄を表示し、健康が危ないと判断された場合には赤を表示する。ここで、このような照明は、支持台３００に向かって発光するが、支持台３００は好ましくは透明材質で製作され、淡い間接照明機能を兼ねることができる。
【００９１】
これにより、ムード灯のような淡い間接照明機能を提供することはもちろん使用者の健康状態を照明色相で差等表示する特徴を行うことができる。
【００９２】
以上、説明したように、本発明による携帯用尿分析装置の構成及び作用を前記説明及び図面に表現したが、これは例示に過ぎず、本発明の思想が前記説明及び図面に限定されず、本発明の技術的思想を外れない範囲内で多様に変化及び変更できることもちろんである。
【産業上の利用可能性】
【００９３】
本発明は、大量生産して各家庭などで便利に用いることができるものであり、産業上の利用可能性があることはもちろんである。
【図１】
2019525206.tif 000003
【図２】
2019525206.tif 000004
【図３】
2019525206.tif 000005
【図４】
2019525206.tif 000006
【図５】
2019525206.tif 000007
【図６】
2019525206.tif 000008
【図７】
2019525206.tif 000009
【図８】
2019525206.tif 000010
【国際調査報告】
2019525206.tif 000011
2019525206.tif 000012
2019525206.tif 000013
2019525206.tif 000014